(57)【特許請求の範囲】
【請求項１】
建物の鋼材で構成された部位や鋼製の足場などに対しシートを一時的に固定する際に使用するマグネットプレートであって、
柔軟性を有する幅狭かつ長尺のプレートと、当該プレートの一方の平坦面において長手方向に所定の間隔で前記一方の面から突出するように取り付けられた磁石と、からなり、
前記所定の間隔とは、少なくとも前記磁石の前記プレートの長手方向の寸法よりも大きい間隔であり、
隣り合う２つの前記磁石の間はすべて空間となっており、当該空間は前記プレートの両側面まで貫通しており、
前記プレートの他方の平坦面は、平坦な状態が維持されているマグネットプレート。
【請求項２】
収容袋に収容された請求項１に記載のマグネットプレート。
【請求項３】
前記プレートが磁力を有する請求項１又は２に記載のマグネットプレート。
【請求項４】
前記プレートが磁性粉を含有している請求項３に記載のマグネットプレート。
【発明の詳細な説明】
【技術分野】
【０００１】
本発明は、マグネットプレートに関する。
【背景技術】
【０００２】
従来、柔軟性を有するシート状磁石が知られており、例えば、磁気選別機、電動モーター、磁気センサー、事務用品、留め具、健康具、玩具、ロボット部品などに使用されている（例えば特許文献１参照）。
【先行技術文献】
【特許文献】
【０００３】
【特許文献１】特開２００７−２２０９６４号公報
【発明の概要】
【発明が解決しようとする課題】
【０００４】
しかしながら、従来のシート状磁石は、磁力が強い場合、剥がしにくいという問題があった。
【０００５】
そこで、本発明は、磁力が強くても剥がしやすいマグネットプレートを提供することを目的とする。
【課題を解決するための手段】
【０００６】
上記課題を解決すべく、本発明に係るマグネットプレートは、柔軟性を有する幅狭かつ長尺のプレートと、当該プレートの一方の面において長手方向に所定の間隔で取り付けられた磁石と、からなる。
【０００７】
従来のシート状磁石が全面にわたって磁着する構成であったのに対し、本発明に係るマグネットプレートは、当該プレートの一方の面において磁石が長手方向に所定の間隔で取り付けられた構成であることから、磁石間のプレートを掴み引き上げることで容易に剥がすことができる。
【０００８】
このマグネットプレートは、収容袋に収容されていることも好ましい。マグネットプレートを収容袋から抜くことで、表面に付着した鉄粉を容易に落とすことができる。
【０００９】
また、プレートが磁力を有することも好ましい。この場合には、プレート側を使うことで全面的に磁着させることが可能となる。プレートが磁性粉を含有しているものであってもよい。
【発明の効果】
【００１０】
本発明によれば、磁力が強くても剥がしやすいマグネットプレートを提供することができる。
【図面の簡単な説明】
【００１１】
【図１】本発明の一実施形態における、仮防水構造が敷設された外部床の一例を示す断面図である。
【図２】図１におけるパラペットの上端面付近の拡大図である。
【図３】マグネットプレートの一例を示す図である。
【図４】仮水切りの一例を示す斜視図である。
【図５】プレート側の面を使って仮防水シートを全面的に磁着させる場合について説明する図である。
【発明を実施するための形態】
【００１２】
以下、図面を参照しつつ本発明の実施形態について詳細に説明する（図１〜図５参照）。以下では、建物の外部床１００において、躯体工事完了後、床の目地詰め前の段階で実施する仮防水工法においてこのマグネットプレート３を適用した場合を例示しつつ説明する。
【００１３】
外部床１００は、例えば建物のフラットな屋根部や屋上などに形成された屋外の床部分をいい、具体的には例えば陸屋根、屋上、ベランダ、外廊下などがある。この外部床１００は、非防水性素材のパネル１２０からなる床スラブ１１０を有している。外部床１００に適した非防水性素材の好適例としてはＡＬＣ（Autoclaved Light weight Concrete、軽量気泡コンクリート）などがある。
【００１４】
外部床１００の外周部には、当該外部床１００を囲うようにパラペット２００などのような壁立ち上がり部が設けられている（図１参照）。パラペット２００には、当該建物等の中心側（外部床１００のある側）を向く面である内壁面２０２と、これとは逆に外側を向く面である外壁面２０４とが形成されている。本実施形態のパラペット２００の材質はＡＬＣであるが特にこれには限定されない。また、本実施形態のパラペット２００は上端面２０６に笠木を備えていないが、当該パラペット２００の厚み（内壁面２０２と外壁面２０４との間隔）より幅広に形成される等した笠木が形成される場合もある。
【００１５】
また、床スラブ１１０を構成するパネル１２０のうち最外周のもの（パラペット２００に近接したもの）は、Ｈ形鋼からなる外周屋根梁３００に支持されている。これら床スラブ１１０を構成するパネル１２０のうち最外周のものとパラペット２００との間には、外周目地部１５０となるスペース（仮溝）が形成されている（図１参照）。
【００１６】
パラペット２００の内壁面２０２側には、本防水シートの下地となる金物４００が取り付けられている（図１参照）。この金物４００は、上水平部４００ａ、鉛直部４００ｂ、下水平部４００ｃからなるクランク形状であり、上水平部４００ａがパラペット２００の上端面２０６に、鉛直部４００ｂがパラペット２００の内壁面２０２に、下水平部４００ｃが外周屋根梁３００にそれぞれ宛がわれるように配置され、固着されている。このように固着された状態で、金物４００の鉛直部４００ｂが立ち上がり面となり、金物４００の上水平部４００ａが上端面となる（図１、図２参照）。
【００１７】
仮防水構造１は、このように周囲にパラペット２００が形成された外部床１００における仮防水のために用いられるもので、仮防水シート２、マグネットプレート３を含む。仮防水構造１は、さらに雨水侵入抑止部材としての仮水切り４を含んでいてもよい。
【００１８】
仮防水シート２は、床スラブ１１０の表面からパラペット２００の上端面２０６にかけてプール状に敷設されるシートである。仮防水シート２は、一枚で構成され重ね合わせのないものであることが好ましいが、防水性が保持されていればこの限りではない。
【００１９】
マグネットプレート３は、金物４００に貼着可能な磁石３４を含む部材である。このマグネットプレート３は、金物の鉛直部（立ち上がり面）４００ｂに対して、仮防水シート２に張力を与えつつ、当該仮防水シート２が外周目地部１５０で陥没しないように緩みの無い状態で磁着している（図１参照）。さらに、別のマグネットプレート３が、仮防水シート２の端縁部２ａあるいはその近傍を押さえ付けるように、パラペット２００の上端面２０６に磁着している。
【００２０】
このようなマグネットプレート３の具体的な構成は限定されないが、本実施形態では、柔軟性を有する幅狭かつ長尺のプレート３２と、当該プレート３２の一方の面において長手方向（長軸方向）に所定の間隔で取り付けられた磁石３４と、からなるマグネットプレートを採用している（図３参照）。磁石３４はプレート３２に対してリベットを用いてかしめられている。
【００２１】
このように、このマグネットプレート３は、複数の磁石３４がプレート３２の一方の面に取り付けられたシート状の構成であることから、磁力の強い磁石３４が用いられている場合であっても、プレート３２の磁石３４間の部分を掴み引き上げることで容易に剥がすことが可能となっている。また、このようなマグネットプレート３は、所望の位置に置いたり、あるいは位置をずらして調整したりといった取扱い（ハンドリング）の点でも優れている。しかも、使い捨てではなく、現場で繰り返し使用することが可能である。
【００２２】
なお、磁石３４の所定の間隔は、等間隔（一定の間隔）でもよいし（図３参照）、不等間隔でもよい。また、複数の磁石３４が、プレート３２の長手方向の真ん中を中心として対称配置されていてもよいし、非対称に配置されていてもよい。要は、仮防水シート２を押さえ付けるに十分な程度の磁力（貼着力）をマグネットプレート３全体として発揮することができ、尚かつ、磁石３４の磁力が強い場合であっても容易に剥がすことが可能な構成であれば、磁石３４の具体的な配置は特に限定されない。
【００２３】
また、マグネットプレート３は、収容袋３６に収容された状態であってもよい（図３参照）。このような構成の場合、表面に鉄粉が付着したとしても、当該マグネットプレート３を収容袋３６から抜いて取り出すことで、この鉄粉を容易に落とすことができる。
【００２４】
また、マグネットプレート３においては、磁石３４のみならず、プレート３２も例えば磁性粉を含有する等して磁力を有していてよい。このようなマグネットプレート３によれば、磁石３４のある面で仮防水シート２を押さえ付けるほか、その裏面（磁石３４が取り付けられていない面）で仮防水シート２を押さえ付けることもできる。このように裏面つまりプレート３２の面を使えば、その領域において全面的に磁着させることができる（図５参照）。
【００２５】
仮水切り４は、パラペット２００の上端面２０６における雨水侵入を防止するための部材として用いられる（図１、図２参照）。本実施形態の仮水切り４は、水平片４ａと垂下片４ｂとからなる、断面Ｌ字状の部材ないしはアングル材で形成されている（図４参照）。仮水切り４は、仮防水シート２の端縁部２ａと水平片４ａとが重ね合わせられた状態で、垂下片４ｂが建物外側となるように掛止される。さらに、この状態で、仮水切り４は、仮防水シート２の端縁部２ａあるいはその近傍を押さえ付ける別のマグネットシート３と同一のものを用いて（仮防水シート２の端縁部２ａあるいはその近傍を押さえ付ける別のマグネットシート３を兼用して）、金物４００の上水平部（上端面）４００ａに押さえ付けられるようにして配置されている（図１、図２参照）。
【００２６】
なお、上述の実施形態は本発明の好適な実施の一例ではあるがこれに限定されるものではなく本発明の要旨を逸脱しない範囲において種々変形実施可能である。例えば上述した実施形態では、建物の外部床１００における仮防水工法に本発明を適用する場合を示しつつ説明したがこれは好適な一例にすぎない。例示すれば、この他、養生シートなどを建物の鋼材で構成された部位や鋼製の足場などに対し固定する場合をはじめ、磁力を利用して対象物を一定期間固定する場合に適用することができる。
【産業上の利用可能性】
【００２７】
本発明は、シートなどの対象物を鋼製材料に対し一時的に仮止めした状態とする場合に適用して好適である。
【符号の説明】
【００２８】
３…マグネットプレート
３２…プレート
３４…磁石
３６…収容袋
【図１】
0006456061.tif 000002
【図２】
0006456061.tif 000003
【図３】
0006456061.tif 000004
【図４】
0006456061.tif 000005
【図５】
0006456061.tif 000006